(57)【要約】【課題】  就寝時に顎関節がリラックスできる枕を提供する。【解決手段】  枕に頚部うなじ屈曲部を支える厚肉部と、後頭部を支える薄肉部が一体形成されるもの、又は厚肉部のみで形成される枕において、充填材の充満率と枕高さの相関を、計測把握して初期の枕高さの基準とし、厚肉部のみあるいは厚肉部と薄肉部の各々の両端部に、枕の内容積を変えるための巻き付けベルトを設けて、使用者が就寝仰臥姿勢でも端部のベルト操作により、高さ調整を可能とした枕を提供する。【選択図】  図１
2007068939.tif 000002
【特許請求の範囲】
【請求項１】
枕に、頚部うなじ屈曲部を支える厚肉部と、後頭部を支える薄肉部、および厚肉部と薄肉部の境界に、充填材の仕切と折り部を設けて一体形成されるもの、又は厚肉部のみで形成される枕において、厚肉部のみ、あるいは厚肉部と薄肉部の各々の両端部に、枕袋の内容積を変えるための、絞り用巻き付けベルトおよびベルト緩み防止具を設け、ベルト緩み防止具には、マジックテープや釦あるいはホック等の簡易留め具を用い、更に枕カバーを使用する場合には、ベルトを通過させる穴を枕カバーに設けて、枕カバーの外側でもベルトの扱いを可能にすることで、枕カバーを取り外したり、枕袋を開口して充填材を出し入れしなくても、使用者が就寝仰臥姿勢において、ベルトによる絞りとベルト緩み防止具の簡単な操作により、枕の高さ調整を可能にした顎関節症のケアに適するうなじ当て枕
【請求項２】
請求項１の発明枕において、枕袋の製作寸法と充填材の品種を適性に決めた上で、充填材の充満率と枕使用時の負荷荷重により変わる枕高さの相関を、あらかじめ計測して、充満率により枕高さを再現出来るようにしておき、顎関節症ケア用枕として、一般成人の体型に合う厚肉部の適性高さ寸法を、使用負荷状態で５０ミリメートル以上で９５ミリメートル以下とし、薄肉部を有するものは、厚肉部と薄肉部の平均厚さ比を、４対１から２対１の範囲として、補助的に後頭部を支え易くすると共に、二つ折りでの使用も可能とし、厚肉部の充填材の初期充満率が、７５パーセントから９５パーセントの間では、請求項１の発明枕の、就寝仰臥姿勢でのベルトによる絞り調整で、約１５ミリメートル以上の高さ調整が可能な、顎関節症ケアに適するうなじ当て枕
【請求項３】
枕の使用者が毎就寝時に都度、枕の高さと当て方を調節して、顎関節のリラックス状態を得られる顎関節症のケア方法として、水平に仰臥した就寝姿勢で上歯と下歯を軽く噛み合わせた状態において、頚部と後頭部に当てる枕の高さを、枕の使用者が自分で調整し、頚部うなじ屈曲点から後頭部にかけての稜線と水平との成す角度を、次第に増加させていくと、奥歯側が当たっていた状態が変化し、奥歯側の隙間が開くと共に前歯側の当たりが強くなり始めた時を口内の感触で捉えれば、顎関節のリラックス状態を識別できるため、このようにして顎関節部のリラックス状態を得る方法を用いて、請求項１又は請求項２で提供する枕を使用し、当て方と高さの調節を使用者が就寝仰臥姿勢中に行って、顎関節のリラックス状態を得るための顎関節症ケア用枕とその活用方法
【発明の詳細な説明】
【技術分野】
【０００１】  本発明は枕に関し、さらに詳しくは顎関節症の痛み緩和や発症防止効果が得られることを目的とした健康用枕に関する。
【背景技術】
【０００２】  首の後ろ部分、即ちうなじの中心部分と、後頭部にかけての広い範囲を支えて、荷重を分散させ、就寝姿勢を安定維持したり、二つ折りや三つ折り以上に畳んで高さ調節を可能とし、うなじ部の指圧効果や快適な使用感を得ようとする例として、特許文献１や特許文献２および実用新案文献１に開示されているものがある。
【特許文献１】  特許公開２００３−２３０４７４号公報
【特許文献２】  特許公開２００４−１２１６３５号公報
【実用新案文献１】
実用新案公開平５−９５３６９号公報
【０００３】  前掲文献に類する枕は、うなじ部またはうなじ部と後頭部の両方を支えることは可能だが、高さ調整機能において、顎関節症ケア用には適さない。
【０００４】  充填材の出し入れをしなくても枕の高さ調整が可能な例として、特許文献３や特許文献４がある。
【特許文献３】  特許公開平１１−３１３７４１号公報
【特許文献４】  特許公開２００１−２９９５４４号公報
【０００５】  前掲文献の枕は、挿通する紐が長くなってしまうために紐の動きが悪く、頻繁な調整や就寝仰臥姿勢での高さ調整は困難であり、更には枕の周囲全体を紐で絞るために、枕の形が不規則に崩れ易いなどの欠点があり、顎関節症ケア用には適さない。
【０００６】  その他の枕高さ調整方法としては、空気圧式やバネ式あるいは重ね合わせ式等があるが、日常的に使用出来るものでは無く、いずれも顎関節症ケア用としては適さない。
【発明の開示】
【発明が解決しようとする課題】
【０００７】  顎関節症の改善や予防を目的として、顎関節と顎筋肉の緊張を和らげる機能に優れる枕とその活用方法
【課題を解決するための手段】
【０００８】  顎関節は、側頭骨と下顎頭が関節円盤をクッションにして、顎筋肉により下顎を開閉活動する部分であるが、ここには下顎動作の回転中心として、下顎部の重量や外力による荷重モーメントの反力ストレスが集中し緊張状態となるために、圧迫痛や筋肉疲労を発生させ易く、過度になると顎関節症の発症に至るため、せめて就寝時には顎関節をリラックスさせておく必要がある。【０００９】  下顎部重量による荷重モーメントと、その影響による顎関節部への反力ストレスが、重力的に見て最小になる下顎先端部の向きは、就寝仰臥姿勢では真上方向となり、一般的な姿勢より、かなり下顎が上を向くため、枕の形状と高さも、それに合わせる必要があると共に、その日の顎関節の疲労状態や痛み部位によっても、枕の適性高さが異なるため、毎日の使用始めに、使用者が就寝仰臥姿勢で高さを調整する事が好ましく、本発明枕を適性に活用することでその課題を解決できる。【００１０】  主に頚部うなじ屈曲部を支える厚肉部と、補助的に後頭部を支える薄肉部を有するもの、又は厚肉部のみで頚部を支える枕において、厚肉部又は厚肉部と薄肉部の両方の充填材の充満率を、使用者の体型に合わせて適性に選定し、基本の枕高さを設定した上で、枕の使用者が就寝仰臥姿勢でも、厚肉部又は厚肉部と薄肉部の高さを、更に自分で調整できる請求項１又は請求項２の発明枕を提供すると共に、顎関節がリラックスする状態の把握方法を組み合わせた請求項３の、顎関節症ケア用枕とその活用方法を提供する。【００１１】  請求項１の発明は、枕に頚部うなじ屈曲部を支える厚肉部と、後頭部を支える薄肉部、および厚肉部と薄肉部の境界に、充填材の仕切と折り部を設けて一体形成されるもの、又は厚肉部のみで形成される枕において、厚肉部のみ、あるいは厚肉部と薄肉部の各々の両端部に、枕袋の内容積を変えるための、絞り用巻き付けベルトおよびベルト緩み防止具を設け、ベルト緩み防止具には、マジックテープや釦あるいはホック等の簡易留め具を用い、更に枕カバーを使用する場合には、ベルトを通過させる穴を枕カバーに設けて、枕カバーの外側でもベルトの扱いを可能にすることで、枕カバーを取り外したり、枕袋を開口して充填材を出し入れしなくても、使用者が就寝仰臥姿勢において、ベルトによる絞りとベルト緩み防止具の簡単な操作により、枕の高さ調整を可能にした事を特徴とする。【００１２】  請求項２の発明は、請求項１の発明枕において、枕袋の製作寸法と充填材の品種を適性に決めた上で、充填材の充満率と、枕使用時の負荷荷重により変わる枕高さの相関を、図１１の枕高さ変化測定具に類するもので、あらかじめ計測して充満率により枕高さを再現出来るようにしておき、顎関節症ケア用枕として独自の臨床確認で得たところの、一般成人の体型に合う厚肉部の適性高さ寸法に基ずき、枕の厚肉部の高さを、使用負荷状態で５０ミリメートル以上で９５ミリメートル以下とし、薄肉部を有するものは、厚肉部と薄肉部の平均厚さ比を４対１から２対１の範囲として、補助的に後頭部を支え易くすると共に、二つ折りでの使用も可能とし、厚肉部の充填材の初期充満率が、７５パーセントから９５パーセントの間では、請求項１の発明枕の、就寝仰臥姿勢でのベルトによ��絞り調整で、約１５ミリメートル以上の高さ調整が可能である事を特徴とする。【００１３】  請求項１および請求項２の発明を、より効果的に活用する手段として、就寝仰臥姿勢で、下顎の先端をほぼ真上方向に向けた状態から、更に正確に顎関節のリラックス状態を把握し、顎関節症のケア効果を上げる方法を、請求項３で提供する。【００１４】  請求項３の発明を詳細に説明すると、請求項１または請求項２の発明枕の使用者が就寝仰臥姿勢で、適性な高さに設定した枕を用いて、下顎の先端をほぼ真上方向に向け、うなじに当てる枕の高さを僅かに低く設定した後、口を閉じ上歯と下歯を軽くかみ合わせた状態において、うなじ屈曲点から後頭部にかけての稜線と、水平との成す角度を、枕の高さ調整で増していくと、奥歯側が当たっていた状態が変化し、奥歯側の隙間が開くと共に前歯側の当たりが強くなり始めるため、これを口内の感触で捉えれば、この位置が顎関節のリラックス状態として把握でき、この方法を用いて請求項１又は請求項２で提供する枕を活用すると、より効果的な顎関節症のケアになることを特徴とする。
【発明の効果】
【００１５】  請求項１または請求項２に記載の発明によれば、就寝仰臥姿勢でも枕の高さ調整が容易に行えて、顎関節のリラックス状態を設定維持し易く、請求項３に記載の発明により、更に正確な顎関節のリラックス状態を把握して、顎関節症のケアや治療に役立つ。
【発明を実施するための最良の形態】
【００１６】  図１は本発明の実施例１の形態を示すもので、枕の厚肉部６と薄肉部７を枕カバー２で覆い、厚肉部６を納める側の枕カバー２に、巻き付けベルト４を通すためのベルト通過穴３を枕の両端付近に左右２カ所ずつ設け、枕両端部の巻き付けベルト４と、マジックテープによるベルト緩み防止具５の操作を、枕カバー２の外側から行って、枕の端部を絞るか緩めることで、枕の中央部分の高さ調整を、枕の使用者が就寝仰臥姿勢で行える。【００１７】  図２は本発明の実施例１の形態において、枕カバー２を取り外したもので、ここに示されるベルト外れ防止１５を、巻き付けベルト設置部に各々２カ所以上設けることを必要とし、充填材の出し入れ口１１を、枕の厚肉部６および薄肉部７に設けて、充填材の初期充満率を選ぶことで、枕の使用者の体型に合う基準の枕高さを設定可能とする。【００１８】  図３は本発明の実施例１において、充填材を抜いた状態の枕袋の平面図で、枕袋の厚肉部１２と枕袋の薄肉部１３を一体形成し、中間に充填材の仕切り９を設けて充填材の充満率を個別に調整可能とし、充填材の仕切り９の両端には、巻き付けベルトを通すスリット１４を設けた枕袋において、枕袋の長辺側の寸法は約６００ミリメートルを適性値とし、厚肉部１２と薄肉部１３の短辺側の幅寸法は双方共１８０ミリメートルを適性値として、図１２に示す充満率と枕高さの相関を得るための、枕袋容積の基準とした。【００１９】  図４は本発明の実施例１において、枕の片側端部の長辺方向断面図で、絞り無しのベルト位置１６では、枕の厚さは変形せずに、絞り無しのときの枕高さ１８であり、絞ったときのベルト位置１７では、充填材８が中央側に移動して、枕の中央側が厚くなり、絞ったときの枕高さ１９となるように、枕の高さに変化が生じるため、この変化を利用して、枕高さの調整を行う。【００２０】  図１１は本発明の実施例１において使用した、枕の高さ変化測定具であり、一般成人のうなじ部に似せた寸法形状の押圧部２６により、分銅２７で負荷荷重を選定して、所定の各状態に設定された枕の厚肉部を押圧し、高さ変化を計測した。【００２１】  本発明枕の実施例１において、枕高さの基準を決めるために計測確認した方法を説明すると、枕端部の巻き付けベルトは絞り無しの状態で、枕袋に充填材を押し込まずに自然に満杯にして、これを充満率１００パーセントとし、この充満率を段階的に５パーセントずつ減じて、各段階のベルト絞り無しの初期充満率とし、各初期充満率毎に、枕端部の巻き付けベルトの絞り量を、両端共最大を１００パーセント、両端共絞り量半分を５０パーセント、および絞り無しを０パーセントとして、この３条件において、枕に作用する荷重を無荷重状態から、最大を一般成人における概略平均値である５キログラムとして、条件別に枕の高さ変化を、図１１の測定具を用いて計測したところ、顎関節症ケア用に適する枕高さは、適性に選定した充填材の品種と、適性な枕袋の製作寸法において、初期充満率が７５パーセントから９５パーセントの範囲であり、これを５キログラム負荷での枕の平均高さに換算すると、５０ミリメートルから９５ミリメートルとなり、また無負荷と５キログラム負荷との枕高さの差が、１４ミリメートルから１７ミリメートル程度であって、使用感触も良好であることを得た。【００２２】  図１２は本発明の実施例１の形態において、枕高さ設定の基準とするもので、前述説明した枕高さの計測条件範囲の中で、初期充満率は７５パーセントから９５パーセントが適性範囲であったため、これを初期充満率の常用範囲とし、高さ調整機能としての巻き付けベルトの絞りを、０パーセントと５０パーセントおよび１００パーセントの３条件において、図１１の測定具により、厚肉部６の中央上面を荷重５キログラムで押圧し、各条件別に、厚肉部６の中央部の枕高さを計測した結果、初期充満率の常用範囲では、巻き付けベルトの絞り操作で、約１５ミリメートルの高さ変化が確認できたが、この高さ変化量は、顎関節症ケア用として、使用者が就寝仰臥姿勢で行う高さ調整量としては有効な量である。【００２３】  本発明枕の実施例１において、後頭部を補助的に支える薄肉部の適性な高さは、厚肉部の２分の１から４分の１の範囲が、使用上および二つ折り使用として良好であることが、臨床テストで確認されたが、使用者の体型と好みにより差があるため、使用前にあらかじめ、充填材の充満率を補正し、適性な高さに設定しておくと良い。【００２４】  図５は、一般的な枕と本発明枕の、使用状態における下顎向きの違いを示したもので、うなじ部屈曲点２０を基準に比較すると、一般的な枕を使用したときの頭部位置２１ａに於ける、後頭部稜線と水平との成す角度２２および下顎向き２１ｂに対して、本発明品枕の厚肉部６と枕の薄肉部７で、うなじおよび頭部を支え、更に厚肉部６を高さ調整して、顎関節がリラックスする位置に設定すると、頭部位置２３ａ、後頭部稜線と水平との成す角度２４となり、下顎向き２３ｂは真上方向となる。【００２５】  図６は、一般的な枕と、本発明枕を二つ折りした状態２５の、下顎向きの違いを示したもので、図５の本発明枕の使用状態で、後頭部稜線と水平との成す角度２４および下顎の上向き角度が不足するときの使用方法として有効である。【００２６】  図７は、本発明の実施例２の形態において、枕カバー２を取り外したもので、枕の薄肉部７を厚肉部６より狭くし、巻き付けベルト４が薄肉部７の外側に位置することで、図８のように二つ折りで使用する場合でも、使用者が就寝仰臥姿勢でも、厚肉部の高さ調整を可能としたものである。【００２７】  図９は、本発明の実施例３の形態を示すもので、枕の厚肉部６と薄肉部７を枕カバー２で覆い、枕カバー２の厚肉部６と薄肉部７の両側に、巻き付けベルト４を通すためのベルト通過穴３を、枕の両端付近に左右４カ所ずつ設け、厚肉部６と薄肉部７の両方に設けた枕両端部の巻き付けベルト４と、マジックテープによるベルト緩み防止具５の操作を、枕カバー２の外側から行って、枕の端部を絞るか緩めることで、厚肉部６と薄肉部７の両方の枕の中央部分の高さ調整を、枕の使用者が就寝仰臥姿勢で行える。【００２８】  図１０は、本発明の実施例４の形態を示すもので、薄肉部を有さず、厚肉部６を枕カバー２で覆い、枕カバー２の両側に巻き付けベルト４を通すためのベルト通過穴３を左右２カ所ずつ設け、端部の巻き付けベルト４と、マジックテープによるベルト緩み防止具５の操作を、枕カバー２の外側から���って、枕の端部を絞るか緩めることで、厚肉部６の枕中央部の高さ調整を、枕の使用者が就寝仰臥姿勢で行える。【００２９】  請求項１、又は更に好ましくは請求項２の発明枕を使用して、使用者に適合する枕の高さに相当する充填材の充満率を、図１２により設定した上で、就寝仰臥姿勢において下顎の先端をほぼ真上方向に向けた状態で、請求項３の方法により、顎関節がリラックスする下顎の位置を探りながら、枕端部の巻き付けベルトの絞り量を操作し、うなじ屈曲部に当てる枕の高さを調整し保持することで、顎関節と顎筋肉の緊張を和らげる状態が得られ、顎関節症のケア効果が期待出来る。
【産業上の利用可能性】
【００３０】  本発明に係わる枕は、工業的に量産する事が可能であるため、産業上の利用可能性を有する。
【図面の簡単な説明】
【００３１】
【図１】本発明の実施例１の形態を示す枕の斜視図。
【図２】本発明の実施例１の形態を示す枕からカバーを取り外したときの斜視図。
【図３】同じく枕袋の平面図
【図４】同じく枕の長辺方向の片側端部の断面図
【図５】本発明の実施例１の枕を、二つ折りにせず開いて使用した場合の状態図。
【図６】本発明の実施例１の枕を二つ折りで使用した場合の状態図。
【図７】本発明の実施例２の形態を示す斜視図。
【図８】本発明の実施例２の形態を、二つ折りにしたときの斜視図。
【図９】本発明の実施例３の形態を示す斜視図。
【図１０】本発明の実施例４の形態を示す斜視図。
【図１１】本発明の実施において使用した枕の高さ変化測定具の立面図。
【図１２】本発明の実施において、枕高さの基準を決めるために計測確認した値
【符号の説明】
【００３２】１  枕
２  枕カバー
３  ベルト通過穴
４  巻き付けベルト
５  ベルト緩み防止具
６  厚肉部
７  薄肉部
８  充填材
９  充填材の仕切り
１０  枕の折り部
１１  充填材の出し入れ口
１２  枕袋の厚肉部
１３  枕袋の薄肉部
１４  スリット
１５  ベルト外れ防止
１６  絞り無しのときのベルト位置
１７  絞ったときのベルト位置
１８  絞り無しのときの枕高さ
１９  絞ったときの枕高さ
２０  うなじ部屈曲点
２１ａ  従来枕による一般的な頭部位置
２１ｂ  従来枕による一般的な下顎先端の向き
２２  従来枕による一般的な頭部稜線と水平との成す角度
２３ａ  本発明枕を使用し高さ調整後の頭部位置
２３ｂ  本発明枕を使用し高さ調整後の下顎先端の向き
２４  本発明枕を使用し高さ調整後の頭部稜線と水平との成す角度
２５  本発明枕を二つ折りした状態
２６  押圧部
２７  分銅
２８  枕の高さ表示計
２９  ストッパー
３０  フレーム
３１  負荷による枕の圧縮変形量
３２  負荷時の枕の高さ
【図１】
2007068939.tif 000003
【図２】
2007068939.tif 000004
【図３】
2007068939.tif 000005
【図４】
2007068939.tif 000006
【図５】
2007068939.tif 000007
【図６】
2007068939.tif 000008
【図７】
2007068939.tif 000009
【図８】
2007068939.tif 000010
【図９】
2007068939.tif 000011
【図１０】
2007068939.tif 000012
【図１１】
2007068939.tif 000013
【図１２】
2007068939.tif 000014
【手続補正書】
【提出日】平成17年9月13日(2005.9.13)
【手続補正１】
【補正対象書類名】特許請求の範囲
【補正対象項目名】全文
【補正方法】変更
【補正の内容】
【特許請求の範囲】
【請求項１】
枕に、頚部うなじ屈曲部を支える厚肉部と、後頭部を支える薄肉部、および厚肉部と薄肉部の境界に、充填材の仕切と折り部を設けて一体形成されるもの、又は厚肉部のみで形成される枕において、厚肉部のみ、あるいは厚肉部と薄肉部の各々の両端部に、絞り用巻き付けベルトおよびベルト緩み防止具を設け、ベルト緩み防止具には、マジックテープや釦あるいはホック等の簡易留め具を用い、更に枕カバーを使用する場合には、ベルトを通過させる穴を枕カバーに設けた、うなじ当て枕。
【請求項２】
請求項１の発明枕において、枕袋の製作寸法と充填材の品種を適性に決めた上で、充填材の充満率と枕使用時の負荷荷重により変わる枕高さの相関を、あらかじめ計測して、充満率により枕高さを再現出来るようにしておき、厚肉部の適性高さ寸法を、使用負荷状態で５０ミリメートル以上で９５ミリメートル以下とし、薄肉部を有するものは、厚肉部と薄肉部の平均厚さ比を、４対１から２対１の範囲とし、厚肉部の充填材の初期充満率が、７５パーセントから９５パーセントの間では、請求項１の発明枕のベルトによる絞りで、１５ミリメートル以上の高さ調整を可能とした、うなじ当て枕。
【手続補正２】
【補正対象書類名】明細書
【補正対象項目名】全文
【補正方法】変更
【補正の内容】
【発明の詳細な説明】
【技術分野】
【０００１】  本発明は枕に関し、さらに詳しくは枕の当て方と高さ調整により、顎関節のリラックスが得られることを目的とした健康用枕に関する。
【背景技術】
【０００２】  首の後ろ部分、即ちうなじの中心部分と、後頭部にかけての広い範囲を支えて、荷重を分散させ、就寝姿勢を安定維持したり、二つ折りや三つ折り以上に畳んで高さ調節を可能とし、うなじ部の指圧効果や快適な使用感を得ようとする例として、特許文献１や特許文献２および実用新案文献１に開示されているものがある。
【特許文献１】            特許公開２００３−２３０４７４号公報
【特許文献２】            特許公開２００４−１２１６３５号公報
【実用新案文献１】
実用新案公開平５−９５３６９号公報
【０００３】  前掲文献に類する枕は、うなじ部またはうなじ部と後頭部の両方を支えることは可能だが、高さ調整機能において、いずれも顎関節のリラックス用には適さない。
【０００４】  充填材の出し入れをしなくても枕の高さ調整が可能な例として、特許文献３や特許文献４がある。
【特許文献３】            特許公開平１１−３１３７４１号公報
【特許文献４】            特許公開２００１−２９９５４４号公報
【０００５】  前掲文献の枕は、挿通する紐が長くなってしまうために紐の動きが悪く、頻繁な調整や就寝仰臥姿勢での高さ調整は困難であり、更には枕の周囲全体を紐で絞るために、枕の形が不規則に崩れ易いなどの欠点があり、顎関節のリラックス用には適さない。
【０００６】  その他の枕高さ調整方法としては、空気圧式やバネ式あるいは重ね合わせ式等があるが、日常的に使用出来るものでは無く、いずれも顎関節のリラックス用としては適さない。
【発明の開示】
【発明が解決しようとする課題】
【０００７】  就寝時に、顎関節のリラックスが得られるための、構造および高さ調整機能を有する枕を提供する
【課題を解決するための手段】
【０００８】  顎関節は、側頭骨と下顎頭が関節円盤をクッションにして、顎筋肉により下顎を開閉活動する部分であるが、ここには下顎動作の回転中心として、下顎部の重量や外力による荷重モーメントの反力ストレスが集中し緊張状態となるために、圧迫痛や筋肉疲労を発生させ易く、過度になると顎関節症等の発症に至るため、せめて就寝時には顎関節をリラックスさせておく必要がある。【０００９】  下顎部重量による荷重モーメントと、その影響による顎関節部への反力ストレスが、重力的に見て最小になる下顎先端部の向きは、就寝仰臥姿勢では真上方向となり、一般的な姿勢より、かなり下顎が上を向くため、枕の形状と高さも、それに合わせる必要があると共に、その日の顎関節の疲労状態や体調によっても、枕の適性高さが異なるため、毎日の使用始めに、使用者が就寝仰臥姿勢で高さを調整する事が好ましく、本発明枕を活用することでその課題を解決できる。【００１０】  主に頚部うなじ屈曲部を支える厚肉部と、補助的に後頭部を支える薄肉部を有するもの、又は厚肉部のみで頚部を支える枕において、厚肉部又は厚肉部と薄肉部の両方の充填材の充満率を、使用者の体型に合わせて適性に選定し、基本の枕高さを設定した上で、枕の使用者が就寝仰臥姿勢でも、厚肉部又は厚肉部と薄肉部の高さを、更に自分で調整できる請求項１および請求項２の発明枕を提供する。【００１１】  請求項１の発明は、枕に頚部うなじ屈曲部を支える厚肉部と、後頭部を支える薄肉部、および厚肉部と薄肉部の境界に、充填材の仕切と折り部を設けて一体形成されるもの、又は厚肉部のみで形成される枕において、厚肉部のみ、あるいは厚肉部と薄肉部の各々の両端部に、枕袋の内容積を変えるための、絞り用巻き付けベルトおよびベルト緩み防止具を設け、ベルト緩み防止具には、マジックテープや釦あるいはホック等の簡易留め具を用い、更に枕カバーを使用する場合には、ベルトを通過させる穴を枕カバーに設けて、枕カバーの外側でもベルトの扱いを可能にすることで、枕カバーを取り外したり、枕袋を開口して充填材を出し入れしなくても、使用者が就寝仰臥姿勢において、ベルトによる絞りとベルト緩み防止具の簡単な操作により、枕の高さ調整を可能にした事を特徴とする。【００１２】  請求項２の発明は、請求項１の発明枕において、枕袋の製作寸法と充填材の品種を適性に決めた上で、充填材の充満率と、枕使用時の負荷荷重により変わる枕高さの相関を、図１１の枕高さ変化測定具に類するもので、あらかじめ計測して充満率により枕高さを再現出来るようにしておき、顎関節のケア用枕として独自の臨床確認で得たところの、一般成人の体型に合う厚肉部の適性高さ寸法に基ずき、枕の厚肉部の高さを、使用負荷状態で５０ミリメートル以上で９５ミリメートル以下とし、薄肉部を有するものは、厚肉部と薄肉部の平均厚さ比を４対１から２対１の範囲として、補助的に後頭部を支え易くすると共に、二つ折りでの使用も可能とし、厚肉部の充填材の初期充満率が、７５パーセントから９５パーセントの間では、請求項１の発明枕の、就寝仰臥姿勢でのベルトによる絞り調整で、１５ミリメートル以上の高さ調整が可能である事を特徴とする。【００１３】  就寝仰臥姿勢で、下顎の先端をほぼ真上方向に向けた状態から、枕の高さ調整で、顎関節のリラックス状態を把握する方法があり、請求項１および請求項２の発明枕を、より効果的に活用する手段として有効である。【００１４】  本発明枕の使用者が、就寝仰臥姿勢で下顎の先端をほぼ真上方向に向け、うなじに当てる枕の高さを僅かに低く設定した後、口を閉じ上歯と下歯を軽くかみ合わせた状態において、うなじ屈曲点から後頭部にかけての稜線と、水平との成す角度を、枕の高さ調整で増していくと、奥歯側が当たっていた状態が変化し、奥歯側の隙間が開くと共に前歯側の当たりが強くなり始めるため、これを口内の感触で捉えれば、この位置が顎関節のリラックス状態として把握できる。
【発明の効果】
【００１５】  請求項１または請求項２に記載の発明によれば、枕の構造および就寝仰臥姿勢でのうなじ屈曲部に当てる枕の高さ調整機能が、顎関節のリラックス状態を設定維持のに適し、就寝時の顎関節のケアに役立つ。
【発明を実施するための最良の形態】
【００１６】  図１は本発明の実施例１の形態を示すもので、枕の厚肉部６と薄肉部７を枕カバー２で覆い、厚肉部６を納める側の枕カバー２に、巻き付けベルト４を通すためのベルト通過穴３を枕の両端付近に左右２カ所ずつ設け、枕両端部の巻き付けベルト４と、マジックテープによるベルト緩み防止具５の操作を、枕カバー２の外側から行って、枕の端部を絞るか緩めることで、枕の中央部分の高さ調整を、枕の使用者が就寝仰臥姿勢で行える。【００１７】  図２は本発明の実施例１の形態において、枕カバー２を取り外したもので、ここに示されるベルト外れ防止１５を、巻き付けベルト設置部に各々２カ所以上設けることを必要とし、充填材の出し入れ口１１を、枕の厚肉部６および薄肉部７に設けて、充填材の初期充満率を選ぶことで、枕の使用者の体型に合う基準の枕高さを設定可能とする。【００１８】  図３は本発明の実施例１において、充填材を抜いた状態の枕袋の平面図で、枕袋の厚肉部１２と枕袋の薄肉部１３を一体形成し、中間に充填材の仕切り９を設けて充填材の充満率を個別に調整可能とし、充填材の仕切り９の両端には、巻き付けベルトを通すスリット１４を設けた枕袋において、枕袋の長辺側の寸法は約６００ミリメートルを適性値とし、厚肉部１２と薄肉部１３の短辺側の幅寸法は双方共１８０ミリメートルを適性値として、図１２に示す充満率と枕高さの相関を得るための、枕袋容積の基準とした。【００１９】  図４は本発明の実施例１において、枕の片側端部の長辺方向断面図で、絞り無しのベルト位置１６では、枕の厚さは変形せずに、絞り無しのときの枕高さ１８であり、絞ったときのベルト位置１７では、充填材８が中央側に移動して、枕の中央側が厚くなり、絞ったときの枕高さ１９となるように、枕の高さに変化が生じるため、この変化を利用して、枕高さの調整を行う。【００２０】  図１１は本発明の実施例１において使用した、枕の高さ変化測定具であり、一般成人のうなじ部に似せた寸法形状の押圧部２６により、分銅２７で負荷荷重を選定して、所定の各状態に設定された枕の厚肉部を押圧し、高さ変化を計測した。【００２１】  本発明枕の実施例１において、枕高さの基準を決めるために計測確認した方法を説明すると、枕端部の巻き付けベルトは絞り無しの状態で、枕袋に充填材を押し込まずに自然に満杯にして、これを充満率１００パーセントとし、この充満率を段階的に５パーセントずつ減じて、各段階のベルト絞り無しの初期充満率とし、各初期充満率毎に、枕端部の巻き付けベルトの絞り量を、両端共最大を１００パーセント、両端共絞り量半分を５０パーセント、および絞り無しを０パーセントとして、この３条件において、枕に作用する荷重を無荷重状態から、最大を一般成人における概略平均値である５キログラムとして、条件別に枕の高さ変化を、図１１の測定具を用いて計測したところ、顎関節のケア用に適する枕高さは、適性に選定した充填材の品種と、適性な枕袋の製作寸法において、初期充満率が７５パーセントから９５パーセントの範囲であり、これを５キログラム負荷での枕の平均高さに換算すると、５０ミリメートルから９５ミリメートルとなり、また無負荷と５キログラム負荷との枕高さの差が、１４ミリメートルから１７ミリメートル程度であって、使用感触も良好であることを得た。【００２２】  図１２は本発明の実施例１の形態において、枕高さ設定の基準とするもので、前述説明した枕高さの計測条件範囲の中で、初期充満率は７５パーセントから９５パーセントが適性範囲であったため、これを初期充満率の常用範囲とし、高さ調整機能としての巻き付けベルトの絞りを、０パーセントと５０パーセントおよび１００パーセントの３条件において、図１１の測定具により、厚肉部６の中央上面を荷重５キログラムで押圧し、各条件別に、厚肉部６の中央部の枕高さを計測した結果、初期充満率の常用範囲では、巻き付けベルトの絞り操作で、１５ミリメートル以上の高さ変化が確認できたが、この高さ変化量は、顎関節リラックスのために、使用者が就寝仰臥姿勢で行う高さ調整量としては有効な量である。【００２３】  本発明枕の実施例１において、後頭部を補助的に支える薄肉部の適性な高さは、厚肉部の２分の１から４分の１の範囲が、使用上および二つ折り使用として良好であることが、臨床テストで確認されたが、使用者の体型と好みにより差があるため、使用前にあらかじめ、充填材の充満率を補正し、適性な高さに設定しておくと良い。【００２４】  図５は、一般的な枕と本発明枕の、使用状態における下顎向きの違いを示したもので、うなじ部屈曲点２０を基準に比較すると、一般的な枕を使用したときの頭部位置２１ａに於ける、後頭部稜線と水平との成す角度２２および下顎向き２１ｂに対して、本発明品枕の厚肉部６と枕の薄肉部７で、うなじおよび頭部を支え、更に厚肉部６を高さ調整して、顎関節がリラックスする位置に設定すると、頭部位置２３ａ、後頭部稜線と水平との成す角度２４となり、下顎向き２３ｂは真上方向となる。【００２５】  図６は、一般的な枕と、本発明枕を二つ折りした状態２５の、下顎向きの違いを示したもので、図５の本発明枕の使用状態で、後頭部稜線と水平との成す角度２４および下顎の上向き角度が不足するときの使用方法として有効である。【００２６】  図７は、本発明の実施例２の形態において、枕カバー２を取り外したもので、枕の薄肉部７を厚肉部６より狭くし、巻き付けベルト４が薄肉部７の外側に位置することで、図８のように二つ折りで使用する場合でも、使用者が就寝仰臥姿勢でも、厚肉部の高さ調整を可能としたものである。【００２７】  図９は、本発明の実施例３の形態を示すもので、枕の厚肉部６と薄肉部７を枕カバー２で覆い、枕カバー２の厚肉部６と薄肉部７の両側に、巻き付けベルト４を通すためのベルト通過穴３を、枕の両端付近に左右４カ所ずつ設け、厚肉部６と薄肉部７の両方に設けた枕両端部の巻き付けベルト４と、マジックテープによるベルト緩み防止具５の操作を、枕カバー２の外側から行って、枕の端部を絞るか緩めることで、厚肉部６と薄肉部７の両方の枕の中央部分の高さ調整を、枕の使用者が就寝仰臥姿勢で行える。【００２８】  図１０は、本発明の実施例４の形態を示すもので、薄肉部を有さず、厚肉部６を枕カバー２で覆い、枕カバー２の両側に巻き付けベルト４を通すためのベルト通過穴３を左右２カ所ずつ設け、端部の巻き付けベルト４と、マジックテープによるベルト緩み防止具５の操作を、枕カバー２の外���から行って、枕の端部を絞るか緩めることで、厚肉部６の枕中央部の高さ調整を、枕の使用者が就寝仰臥姿勢で行える。
【産業上の利用可能性】
【００２９】  本発明に係わる枕は、工業的に量産する事が可能であるため、産業上の利用可能性を有する。
【図面の簡単な説明】
【００３０】
【図１】本発明の実施例１の形態を示す枕の斜視図。
【図２】本発明の実施例１の形態を示す枕からカバーを取り外したときの斜視図。
【図３】同じく枕袋の平面図
【図４】同じく枕の長辺方向の片側端部の断面図
【図５】本発明の実施例１の枕を、二つ折りにせず開いて使用した場合の状態図。
【図６】本発明の実施例１の枕を二つ折りで使用した場合の状態図。
【図７】本発明の実施例２の形態を示す斜視図。
【図８】本発明の実施例２の形態を、二つ折りにしたときの斜視図。
【図９】本発明の実施例３の形態を示す斜視図。
【図１０】本発明の実施例４の形態を示す斜視図。
【図１１】本発明の実施において使用した枕の高さ変化測定具の立面図。
【図１２】本発明の実施において、枕高さの基準を決めるために計測確認した値
【符号の説明】
【００３１】１  枕
２  枕カバー
３  ベルト通過穴
４  巻き付けベルト０
５  ベルト緩み防止具
６  厚肉部
７  薄肉部
８  充填材
９  充填材の仕切り
１０  枕の折り部
１１  充填材の出し入れ口
１２  枕袋の厚肉部
１３  枕袋の薄肉部
１４  スリット
１５  ベルト外れ防止
１６  絞り無しのときのベルト位置
１７  絞ったときのベルト位置
１８  絞り無しのときの枕高さ
１９  絞ったときの枕高さ
２０  うなじ部屈曲点
２１ａ  従来枕による一般的な頭部位置
２１ｂ  従来枕による一般的な下顎先端の向き
２２  従来枕による一般的な頭部稜線と水平との成す角度
２３ａ  本発明枕を使用し高さ調整後の頭部位置
２３ｂ  本発明枕を使用し高さ調整後の下顎先端の向き
２４  本発明枕を使用し高さ調整後の頭部稜線と水平との成す角度
２５  本発明枕を二つ折りした状態
２６  押圧部
２７  分銅
２８  枕の高さ表示計
２９  ストッパー
３０  フレーム
３１  負荷による枕の圧縮変形量
３２  負荷時の枕の高さ